(57)【要約】      （修正有）【課題】転倒防止装置に据付機器の脚を固定する際に、据付機器の重心を低く抑えること。【解決手段】設置面上に据付け板１を左右一対に設け、その据付け板１の上に、据付機器Ａの脚を固定する機器固定板２を設け、この機器固定板２に前後方向に長い長孔３を形成し、その長孔３の中を前後に移動可能な起立部材４を据付け板１に設け、この起立部材に、据付け板１と機器固定板２が上下方向に分離するのを阻止する分離阻止部材７を設ける。この機器固定板２の下面に支持ボルト１１を固定し、この支持ボルト１１の頭部を据付け板１と接触させると、据付け板１と機器固定板２とが面接触する場合と比較して摩擦が低減でき、前後方向への移動が容易となるので、地震の揺れに対する転倒防止効果が発揮される。２枚の据付け板１、１の間におもり板１４を連結すると、重心が低くなり、据付機器Ａがさらに転倒しにくくなる。【選択図】図１
2008021064.tif 000002
【特許請求の範囲】
【請求項１】
床や地面等の据付け面に設置される鋼製の据付け板（１）と、この据付け板（１）に対して、上下方向に分離不能で、前後方向に移動可能に重ね合わせる鋼製の機器固定板（２）とからなり、機器固定板（２）に、据付機器（Ａ）の脚（１２）を固定する固定部を設けた自動販売機等の転倒防止装置。
【請求項２】
上記据付け板（１）に、鋼製のおもり板（１４）を並列状態に連結した請求項１に記載の自動販売機等の転倒防止装置。
【請求項３】
上記据付け板（１）に対する機器固定板（２）の前方への移動を制限するダンパー（８）を備える請求項１または２に記載の自動販売機等の転倒防止装置。
【請求項４】
上記機器固定板（２）に前後方向に長い長孔（３）を形成し、上記長孔（３）の前端から機器固定板（２）の上方に突出し、上記据付け板（１）に対する機器固定板（２）の前方への移動を許容する起立部材（４、５、６）を上記据付け板（１）に設け、上記起立部材（４、５、６）に、上記据付け板（１）に対する機器固定板（２）の上方への分離を阻止する分離阻止部材（７）を設けて、上記据付け板（１）と機器固定板（２）を分離不能とした請求項１から３のいずれかに記載の自動販売機等の転倒防止装置。
【請求項５】
上記ダンパー（８）を上記機器固定板（２）よりも上方に配置し、そのダンパー（８）の一端を上記起立部材（４、５、６）に接続し、他端を上記機器固定板（２）に接続した請求項３または４に記載の自動販売機等の転倒防止装置。
【発明の詳細な説明】
【技術分野】
【０００１】
この発明は、大規模地震の際に、清涼飲料水の自動販売機や商品陳列棚など、奥行き寸法に比較して背丈の高い据付機器の転倒を防止する装置に関する。
【背景技術】
【０００２】
清涼飲料水の自動販売機や商品陳列棚等は、奥行き寸法に比較して背丈が高いので、奥行き寸法の短い前方に転倒しやすい。
【０００３】
このため、従来、自動販売機を据え付ける場合には、据付け面に自動販売機の脚を固定金具とアンカーボルトを用いて直接固定したり、据付け面にコンクリートブロックを置き、そのコンクリートブロックに自動販売機の脚を固定金具とアンカーボルトを用いて固定したり、転倒防止用鉄板に自動販売機の脚を固定金具とボルトを用いて固定したりして、地震時における自動販売機の転倒を防止するようにしている。
【０００４】
ところで、近年は高層ビルが増加し、高層階に自動販売機を据え付けるような場合には、地震の際の揺れ幅が低層階よりも大きく、これまで以上に転倒防止効果の高い据付け方法の開発が望まれている。
【０００５】
このような目的で開発された自動販売機の転倒防止装置として、図６及び図７に示す構造のものがある（特許文献１）。
【特許文献１】特開２００６−３１１１９号公報
【発明の開示】
【発明が解決しようとする課題】
【０００６】
特許文献１に開示された転倒防止装置は、図６に示すように、据付け面に２本のレール部材１６を敷き、このレール部材１６に、据付機器Ａを固定する固定レール１７を、レール部材１６に対して前後方向に移動可能に嵌め入れ、大規模地震の際に、据付機器Ａを、固定レール１７と共にレール部材１６に沿って前方へ移動させることにより、据付機器Ａの脚を支点にした転倒を防止しようとしたものである。
【０００７】
さらに、上記転倒防止装置は、据付機器Ａの前後の揺れを減衰させる制震機構を、レール部材１６と固定レール１７との間に設けている。
【０００８】
この制震機構は、固定レール１７を支持する円柱ころ１８を、固定レール１７とレール部材１６の間に挟み、この円柱ころ１８を、前方傾斜面１９ａと後方傾斜面１９ｂを有するころ受け部材１９に載せ、円柱ころ１８が前方傾斜面１９ａと後方傾斜面１９ｂとを往復することにより前後の揺れを減衰させる。
【０００９】
ところで、この従来の転倒防止装置は、図７に示すように、レール部材１６の両側を上方に立ち上げ、その上端を内側に折り曲げ、この折り曲げ部分を、固定レール１７の両側面に形成した溝に差し入れて、レール部材１６と固定レール１７との分離を防止し、固定レール１７とレール部材１６との対向面に、円柱ころ１８ところ受け部材１９を設ける構造であるため、レール部材１６の下面から固定レール１７の上面までの全体の高さが高い。
【００１０】
したがって、据付機器Ａの下に、この従来の転倒防止装置を設置すると、据付け面から据付機器Ａの重心位置までの高さが高くなり、かえって据付機器Ａが転倒し易くなるという問題があった。
【００１１】
そこで、この発明は、背丈の高い据付機器Ａの重心位置を低くすることにより、自動販売機等の据付機器Ａの転倒を効果的に防止することを課題とする。
【課題を解決するための手段】
【００１２】
上記の課題を解決するため、この発明は、床や地面等の据付け面に設置される鋼製の据付け板と、この据付け板に対して、上下方向に分離不能で、前後方向に移動可能に重ね合わせる鋼製の機器固定板と、機器固定板に設けられる据付機器の脚を固定する固定部とによって、自動販売機等の据付機器の転倒防止装置を構成したのである。
【００１３】
上記据付け板には、鋼製のおもり板を、並列状態に連結することもできる。また、上記据付け板に対する機器固定板の前方への移動を制限するダンパーを設けることもできる。
【００１４】
上記機器固定板に形成した前後方向に長い長孔に、この長孔の前端から機器固定板の上方に突出する起立部材を据付け板に設け、突出した起立部材に、据付け板に対する機器固定板の上方への分離を阻止する分離阻止部材を設け、据付け板と機器固定板を分離不能とすることもできる。
【００１５】
上記ダンパーを上記機器固定板よりも上方に配置し、そのダンパーの一端を上記起立部材に接続し、他端を上記機器固定板に接続して設けることもできる。
【発明の効果】
【００１６】
この発明に係る自動販売機等の据付機器の転倒防止装置は、２枚の鋼製の板を重ね合わせたものであるから、上下の高さが低く、しかも、据付機器の脚に少なくとも２枚の鋼製の板が装着されるので、それだけ低重心になり、転倒し難くなる。
【００１７】
しかも、据付機器の脚を固定する機器固定板は、据付け板に対して、上下方向に分離不能で、前後方向に移動可能に重ね合わせられているので、地震による前後の揺れが発生した際には、据付機器の脚を固定した機器固定板が据付け板に対して前後方向に移動して免震作用が働き、据付機器の脚を支点にした前方への転倒を効果的に防止することができる。
【００１８】
上記据付け板に、鋼製のおもり板を並列状態にさらに連結すると、より低重心になるため、転倒防止効果がさらに向上する。
【００１９】
また、上記据付け板に対する機器固定板の前方への移動を制限するダンパーを設けると、ダンパーにより地震の揺れのエネルギーが吸収されるので、制震性が向上する。
【００２０】
上記機器固定板に長孔を形成し、その長孔の中に起立部材を設け、その起立部材の突出部分に分離阻止部材を設け、上記据付け板に対して機器固定板を前後に移動可能とし、しかも、上下に分離不能とすると、地震の縦揺れによって据付け板と機器固定板が分離しないので、大規模地震においても転倒防止効果が確保される。
【００２１】
上記ダンパーを上記機器固定板よりも上方に配置し、そのダンパーの一端を上記起立部材に接続し、他端を上記機器固定板に接続して設けると、このダンパーが据付機器と機器固定板の間に収納されるので、据付機器の重心位置が高くならず、転倒防止効果が確保される。
【発明を実施するための最良の形態】
【００２２】
図１に、この発明の実施形態の転倒防止装置を示す。この転倒防止装置は、左右一対の鋼製の据付け板１と、各据付け板１に重ね合わせた左右一対の鋼製の機器固定板２とからなる。
【００２３】
機器固定板２には、図２に示すように、前後方向に長い長孔３が形成されている。長孔３の前端には、ボルト４のねじ込みにより据付け板１に固定されたスリーブ５と、スリーブ５の外周に回転可能に嵌めた円筒状のガイドローラ６とを有する起立部材が、機器固定板２の上方に突出して設けられている。ガイドローラ６は長孔３の内面に転がり接触し、ガイドローラ６と長孔３の内面との間の摩擦を抑制する。
【００２４】
また、ボルト４の頭部とスリーブ５の間には、長孔３の幅よりも直径が大きいワッシャ７が組み込まれている。ワッシャ７は、機器固定板２の上面に対向して、据付け板１に対して機器固定板２が上方へ分離するのを阻止している。
【００２５】
図３に示すように、機器固定板２よりも上方にダンパー８が配置され、ダンパー８の一端がボルト４に接続され、他端が機器固定板２の上面に固定された架橋板９にボルト４で接続されている。
【００２６】
据付け板１で機器固定板２を直接支持すると、両者が広い面積で接触し、両者の間の摩擦が大きくなる。摩擦が大きいと、地震の揺れが転倒防止装置に加わっても、据付け板１に対して機器固定板２が動くことができず、転倒防止効果を発揮できない。
【００２７】
そこで、据付け板１と機器固定板２の間の摩擦を低減するために、この機器固定板２の下面には、図４（ａ）に示すように、ボルト孔１０に６個の支持ボルト１１がねじ込まれ、図４（ｂ）に示すように、この支持ボルト１１の頭部を介して機器固定板２が据付け板１で支持されている。支持ボルト１１の頭部は、据付け板１の上面に接触しており、これにより、機器固定板２を据付け板１で直接支持する場合に比べて、据付け板１と機器固定板２の間の接触面積が減り、両者間の摩擦が低減されている。
【００２８】
上記摩擦を低減するために、据付け板１と機器固定板２との間にテフロン樹脂等からなる低摩擦シートを設けたり、ころを設けたりすることもできる。また、据付け板１と機器固定板２の相互接触面に、フッ素コーティング等の化学的表面処理を施したり、相互接触面の面粗さ調整したりしても摩擦は低減できる。
【００２９】
機器固定板２は、図１に示すように、機器固定板２の可動範囲の後端に位置している。これにより、自動販売機等の据付機器Ａが前方へ転倒するのを効果的に抑制し、据付機器Ａの前にいる人に据付機器Ａが倒れるのをより確実に防止している。
【００３０】
機器固定板２には、据付機器Ａの脚１２を固定金具を介してボルト４で固定するための脚固定用ボルト孔１３が据付機器Ａの脚１２の位置に対応するように設けられている。脚固定用ボルト孔１３は、奥行き寸法の異なる複数種類の据付機器Ａに対応して複数形成されている。
【００３１】
この実施形態の転倒防止装置は、２枚の板（据付け板１と機器固定板２）を重ね合わせたものであるから、上下の高さが低く、しかも、据付機器Ａの脚１２に少なくとも２枚の鋼製の板が固定されるので、それだけ低重心になり、大規模地震が起きた場合にも転倒し難くなる。
【００３２】
また、機器固定板２が、据付け板１に対して、上下方向に分離不能で、かつ前後方向に移動可能なので、地震による前後の揺れが発生した際に、自動販売機等の据付機器Ａの脚１２を固定した機器固定板２が据付け板に対して前後方向に移動する。そのため、設置面の前後の揺れが据付機器Ａに伝わりにくく、据付機器Ａの脚１２を支点にした前方への転倒を効果的に防止することができる。
【００３３】
さらに、左右一対の据付け板１には、鋼製のおもり板１４が並列状態に連結され、上記据付け板１とおもり板１４は接続金具１５を介してボルト４で連結されているので低重心であり、転倒防止効果が高い。
【００３４】
このおもり板１４は、左右への連結枚数や、上に積み重ねる枚数を増減することで、その合計の重さを増減することができる。例えば、上記転倒防止装置を高層ビルで使用する場合、高層階と低層階では地震の揺れの大きさが異なるので、その揺れの大きさに対応しておもり板１４の枚数を変えると確実に揺れを抑制できる。
【００３５】
上記実施形態では、機器固定板２の上面に対向する分離阻止部材としてワッシャ７を用い、このワッシャ７で据付け板に対する機器固定板２の上方への分離を阻止しているが、分離を阻止できるものであればワッシャ７に限定されない。例えば、長孔３の幅よりも直径が大きい頭部を有するボルト４を用いても分離が阻止できる。
【００３６】
また、上記実施形態では、スリーブ５の外周にガイドローラ６を嵌めて起立部材が長孔３の内面に転がり接触するようにしているが、起立部材が長孔３の内面に滑り接触するようにしてもよく、起立部材は、据付け板１に対する機器固定板２の前方への移動を許容するものであれば他の構成を採用してもよい。
【実施例】
【００３７】
図１に示す転倒防止装置に自動販売機の脚を固定した状態を図５に示す。地震が生じていない際には、図５（ａ）のように機器固定板２は後端に位置し、地震の揺れが加わると、図５（ｂ）のように機器固定板２は自動販売機を載せた状態で前方に移動し、自動販売機の転倒を防止する。このときダンパー８が押し縮められ、地震の揺れのエネルギーを吸収するので、効率的に制震がなされる。
【００３８】
図１に示す転倒防止装置は、据付け板１の寸法が幅３００ｍｍ、奥行９１０ｍｍ、厚さ１５ｍｍ、機器固定板２の寸法が幅２５０ｍｍ、奥行７６０ｍｍ、厚さ１５ｍｍ、おもり板１４の寸法が幅３００ｍｍ、奥行７６０ｍｍ、厚さ１５ｍｍであり、それぞれの1枚あたりの重さは、約３２ｋｇ、約２３ｋｇ、約２７ｋｇである。
【００３９】
そのため、据付け板１を２枚、機器固定板２を２枚、おもり板１４を１枚用いたこの転倒防止装置の重さは約１３７ｋｇであり、この転倒防止装置に重さが約３００ｋｇの自動販売機の脚を固定して設置すると、その自重の半分近い重さのおもりによって、その重心位置が大きく低下する。そのため、高い転倒防止効果が得られる。
【図面の簡単な説明】
【００４０】
【図１】一実施例の斜視図
【図２】同実施例における、（ａ）は長孔の斜視図、（ｂ）はその断面図
【図３】同実施例における、（ａ）はダンパーの斜視図、（ｂ）はその断面図
【図４】同実施例における、（ａ）は機器固定板の裏面側斜視図、（ｂ）は機器固定板の側面図
【図５】同実施例の転倒防止装置に自動販売機を設置したときの、（ａ）は地震が生じていない状態、（ｂ）は地震の揺れによって機器固定板が前方に移動した状態を示す側面図
【図６】従来例の斜視図
【図７】他の従来例の要部断面斜視図
【符号の説明】
【００４１】
１  据付け板
２  機器固定板
３  長孔
４  ボルト
５  スリーブ
６  ガイドローラ
７  ワッシャ
８  ダンパー
１２  脚
１４  おもり板
Ａ  据付機器
【図１】
2008021064.tif 000003
【図２】
2008021064.tif 000004
【図３】
2008021064.tif 000005
【図４】
2008021064.tif 000006
【図５】
2008021064.tif 000007
【図６】
2008021064.tif 000008
【図７】
2008021064.tif 000009